(57)【要約】【課題】制御盤扉の開放を横方向にスライドさせて行うようにし、扉が昇降路内に大きく突出しない機械室レスエレベータ用制御盤を得る。【解決手段】エレベータ昇降路壁に取り付ける筐体本体の開口面内で移動可能で、開口を開閉する扉と、筐体本体および扉の一方に設けられた係合突起部材と、筐体本体および扉の他方に設けられ、係合突起部材に係合して、係合突起部材を相対的に開口面内で水平方向に案内する係合溝部材とを備え、扉が開口面内で水平方向に摺動されて開口を開閉し得るようにしたエレベータの制御装置。【効果】昇降路内スペースの無駄が無い。【選択図】図１
2011026023.tif 000002
【特許請求の範囲】
【請求項１】
エレベータ昇降路壁に平行な開口面内に開口を持つ筐体本体と、
上記開口を覆う閉位置および上記開口を開放する開位置間で移動可能な扉と、
上記筐体本体および上記扉の一方に設けられた係合突起部材と、
上記筐体本体および上記扉の他方に設けられ、上記係合突起部材に係合して、上記係合突起部材を上記開口面内で水平方向に案内する係合溝部材とを備え、
上記扉が上記開口面内で水平方向に摺動されて上記開口を開閉し得ることを特徴とするエレベータ用制御装置。
【請求項２】
上記係合突起部材が上記筐体本体に設けられ、上記係合溝部材が上記扉に設けられていることを特徴とする請求項１に記載のエレベータ用制御装置。
【請求項３】
上記係合突起部材が係合頭部を持ち、上記係合溝部材が上記係合頭部の水平方向以外の方向への移動を阻止する係合溝を備えていることを特徴とする請求項１あるいは２に記載のエレベータ用制御装置。
【請求項４】
上記係合突起部材がアーススタッドボルトであり、上記係合溝部材が長穴付板部材であることを特徴とする請求項１〜３のいずれか一項に記載のエレベータ用制御装置。
【請求項５】
上記係合溝部材が、上記係合溝に連続して設けられて、上記係合突起部材を上記開口面に垂直な方向に移動させて、上記扉を上記筐体本体から取り外し可能にする抜き出し穴を備えていることを特徴とする請求項１〜４のいずれか一項に記載のエレベータ用制御装置。
【請求項６】
上記扉に起倒自在に設けられ、上記扉の開放時に起立されて上記昇降路壁に当接して上記扉を支持する扉支持部材を備えていることを特徴とする請求項１〜５のいずれか一項に記載のエレベータ用制御装置。
【請求項７】
上記扉支持部材が、先端部に、上記昇降路壁に当接する緩衝部材を備えていることを特徴とする請求項６に記載のエレベータ用制御装置。
【請求項８】
上記扉が、上記係合溝の上記抜き出し穴と対向する位置に、上記係合突起部材の先端部と当接する支え板を備えていることを特徴とする請求項５〜７のいずれか一項に記載のエレベータ用制御装置。
【発明の詳細な説明】
【技術分野】
【０００１】
この発明はエレベータ用制御装置に関し、特に機械室レスエレベータの制御盤として使用するのに適したエレベータ用制御装置に関するものである。
【背景技術】
【０００２】
従来の機械室レスエレベータ用制御盤においては、制御盤扉を制御盤筐体に開閉自在に支持する開閉機構を備えている。この開閉機構は、制御盤筐体に制御盤扉を開閉自在に支持するヒンジ機構部によって構成される。そして、この機械室レスエレベータ用制御盤にあっては、制御盤筐体に対して制御盤扉を手前に引き或いは押すことにより制御盤扉は制御盤筐体に対して開閉されることになる。また、制御盤扉の一部だけを上下方向にスライドさせて開閉する構造を備えるものも提案されている（例えば特許文献１参照）。
【先行技術文献】
【特許文献】
【０００３】
【特許文献１】特開２００７−１０６５１２号公報
【発明の概要】
【発明が解決しようとする課題】
【０００４】
上述のような従来のエレベータ用制御装置にあっては、制御盤扉を開放させた時、制御盤扉の幅分が昇降路内に突出した状態となるため、制御盤の保守、点検等で作業者が昇降路内を移動中又は作業中に突出した制御盤扉にぶつかったりすることがあり、怪我や制御盤扉部の故障の原因となる。また、ヒンジ機構部の回転で制御盤扉を開放させている為、制御盤扉が閉じてきて、作業中に手指を挟む等の恐れがあった。また、制御盤扉を分割し、一部スライドさせる提案もあるが、ヒンジ機構部が残ってしまう為、保守点検作業中のぶつかりや、挟まれの恐れは残ってしまっていた。この問題は機械室レスエレベータにおいて特に重要な問題であった。
【０００５】
従ってこの発明の目的は、制御盤の扉の開閉を水平方向にスライドさせて開けることにより、制御盤の扉が昇降路内に大きく突出することのないエレベータ用制御装置を提供することである。
【課題を解決するための手段】
【０００６】
この発明のエレベータ用制御装置によれば、エレベータ昇降路壁に平行な開口面内に開口を持つ筐体本体と、上記開口を覆う閉位置および上記開口を開放する開位置間で移動可能な扉と、上記筐体本体および上記扉の一方に設けられた係合突起部材と、上記筐体本体および上記扉の他方に設けられ、上記係合突起部材に係合して、上記係合突起部材を上記開口面内で水平方向に案内する係合溝部材とを備え、上記扉が上記開口面内で水平方向に摺動されて上記開口を開閉し得ることを特徴とするエレベータ用制御装置が得られる。
【発明の効果】
【０００７】
この発明のエレベータ用制御装置によれば、制御盤の扉を開けても昇降路内に大きく突出することがないという効果が得られる。
【図面の簡単な説明】
【０００８】
【図１】この発明の実施の形態１におけるエレベータ用制御装置を示す分解斜視図である。
【図２】図１のエレベータ用制御装置の扉開放状態を示す上面底面方向から見た拡大断面図である。
【発明を実施するための形態】
【０００９】
以下、この発明の実施の形態について説明する。
【００１０】
実施の形態１．
図１および２において、エレベータ用制御装置は、エレベータの昇降路壁１に固着された案内レール２に支持された取付腕３に取り付けられ、開口４を持つ全体として箱形の筐体本体５を備えている。筐体本体５は、取付腕３に取り付けられた矩形の後壁６と、後壁６の周縁からそれぞれ立ち上がった頂壁７と、底壁８と、２枚の側壁９および１０とで構成されており、これらの頂壁７、底壁８、側壁９および１０は、前縁によって平面内にある開口４を形成しているので、この平面を開口面１１（図２参照）と呼ぶ。開口面１１は、昇降路壁１に平行な面である。
【００１１】
エレベータ用制御装置はまた、筐体本体５と組み合わされて、全体として制御装置の様々な制御機器１２（図には一個だけ例示してある）を収容する筐体を構成する扉１３を備えている。扉１３は、開口４を覆う閉位置（図２に想像線で示す）および開口４を開放して筐体本体５内に据え付けられた様々な制御機器１２（図には一個だけ例示してある）にアクセスできるようにする開位置（図２に実線で示す）間で移動可能である。
【００１２】
扉１３は、矩形の前壁１４と、前壁１４の周縁からそれぞれ立ち上がった頂壁１５と、底壁１６と、２枚の側壁１７および１８とで構成されていて、筐体本体５の開口４と一致した開口１９を持っている。前壁１４には制御機器１２の放熱のための換気口が設けられている。
【００１３】
エレベータ用制御装置はさらに、扉１３が筐体本体５の開口面１１内で水平方向に摺動されて筐体本体５の開口４を開閉し得るようにするために、筐体本体５の後壁６に取り付けられた係合突起部材２０と、扉１３に設けられて係合突起部材２０に係合して、係合突起部材２０を開口面１１内で水平方向に案内する係合溝部材２１とを備えている。係合突起部材２０を筐体本体５に設け、係合溝部材２１を扉１３に設けることもでき、結局係合突起部材２０は筐体本体５および扉１３のいずれか一方に設けられ、係合溝部材２１は筐体本体５および扉１３の他方に設けられていればよい。
【００１４】
係合突起部材２０は、図示の例では図１において筐体本体５の後壁６の右側に偏って配置されたアーススタッドボルトであって、ネジを切ったボルト部２２の先端部に嵌められたナットを係合頭部２３として持っている。また、係合溝部材２１は、扉１３の側壁１７および１８間で扉１３の開口１９を含む平面内に配置されていて、係合突起部材２０の係合頭部２３を受け入れて、係合頭部２３の水平方向以外の方向への移動を阻止する長い係合溝２４を備えた長い板部材である。
【００１５】
係合溝２４の図１において扉１３の右側の端部には、係合溝２４に連続して設けられて、係合突起部材２０の係合頭部２３が開口面に垂直な方向に通り抜けることのできるような形状寸法の抜き出し穴２５が設けられている。抜き出し穴２５は、係合溝２４から下方にだけ拡がっているので、係合溝２４の上縁は直線状である。
【００１６】
筐体本体５に扉１３を取り付ける際には、筐体本体５の係合突起部材２０の係合頭部２３をこの抜き出し穴２５を通して扉１３の係合溝部材２１の内側に入れ手を離す。この状態では、扉１３の開口１９が筐体本体５の開口４に図２の実線で示すような開位置で接していて、上下方向に離れた２本の係合突起部材２０の係合頭部２３がそれぞれの対応の係合溝２４の上縁の内側に入り込んでいて、扉１３は係合溝２４の上縁で係合突起部材２０の上面に乗せられて二箇所で支持されているので、筐体本体５に対して安定して支持される。この開位置から扉１３を開口面１１に平行に水平方向に動かすと、係合突起部材２０が係合溝２４内に係合したまま係合溝２４に沿って案内されて図２に想像線で示す閉位置に移動させることができる。この位置でも、扉１３は２本の係合突起部材２０による二箇所の支持により安定して保持される。
【００１７】
扉１３は再び閉位置から開位置にスライドさせることができ、また開位置にある扉１３を僅かに持ち上げれば係合突起部材２０の係合頭部２３と、係合溝部材２１の抜き出し穴２５とが重なる位置となり、扉１３すなわち係合突起部材２０を、筐体本体５の開口面１１に垂直な方向に移動させて、扉１３を筐体本体５から取り外すことができる。
【００１８】
扉１３を開位置でより安定させて保持するために、扉１３の前壁１４の内側面に蝶番２６により起倒自在に取り付けられ、先端部にゴム等の緩衝部材２７を備えた板状の扉支持部材２８が設けられている。扉支持部材２８は、扉１３の開放時に、図２に示すように、扉の前壁１４に対して直立するように起立させて緩衝部材２７を昇降路壁１に当接させれば、扉１３を昇降路壁１に対して支持することができる。
【００１９】
また、扉１３は、係合溝２４の抜き出し穴２５に対して開口面１１の垂直方向に対向する位置に、係合突起部材２０のボルト部２２の先端と当接する支え板２９を備えている。この支え板２９も、係合突起部材２０を開口面１１に垂直な方向に支持して前壁１４側に入り込ませないため、扉１３を筐体本体５に対して開口面１１に垂直な方向に支持することができる。
【００２０】
このエレベータ用制御装置によれば、扉１３は水平方向にスライド移動させて開閉されるので、制御装置を開いたときでも扉１３の昇降路内への出っ張り量は変わらないので、昇降路内には制御装置の扉１３を閉じているときとほぼ同等のスペースを確保することができ、昇降路内での保守点検等のため、作業員が移動中あるいは作業中に制御装置の扉１３にぶつかったりすることが解消される。また、作業中に扉１３が何かの理由で閉じてくる恐れがなく、制御装置内の作業が容易となり、手指を挟む恐れがなくなる。さらに、アーススタッドボルトを係合突起部材２０として利用して、扉１３の係合溝部材２１に直接接触させているため、制御装置の扉１３がアースされており、扉１３側にアースを別個に設ける必要が無い。
【００２１】
以上に図示して説明したエレベータ用制御装置は単なる例であって様々な変形が可能であり、またそれぞれの具体例の特徴を全てあるいは選択的に組み合わせて用いることもできる。例えば係合突起部材を扉に設け、係合溝部材を筐体本体に設けることもできる。また、係合突起部材および係合溝部材を筐体本体および筐体本体の開口例えば頂壁の縁部に設けることもできる。また、係合溝部材が、係合溝に連続して上方に延びるように設けられて、係合突起部材を受け入れてその位置に係止させておくための係止溝を備えたものとすることもできる。この係止溝は、例えば係合溝の両端から上方に延びて、ここに入り込んだ係合突起部材が水平方向に移動できないようにし、開位置あるいは閉位置における扉の開口面１１に平行な面内での回転をより確実に阻止するものである。
【産業上の利用可能性】
【００２２】
この発明はエレベータ用制御装置に利用できるものである。
【符号の説明】
【００２３】
１  昇降路壁、２  案内レール、３  取付腕、４  開口、５  筐体本体、６  後壁、７  頂壁、８  底壁、９、１０  側壁、１１  開口面、１２  制御機器、１３  扉、１４  前壁、１５  頂壁、１６  底壁、１７、１８  側壁、１９  開口、２０  係合突起部材、２１  係合溝部材、２２  ボルト部、２３  係合頭部、２４  係合溝、２５  抜き出し穴、２６  蝶番、２７  緩衝部材、２８  扉支持部材、２９  支え板。
【図１】
2011026023.tif 000003
【図２】
2011026023.tif 000004